(57)【要約】【課題】カードコネクタにおいて，低背化を維持するとともに挿入されるカードの電極と接点素子との電気的接触における信頼性を確保する。【解決手段】本体部と，薄板で形成されるトレイを有し，前記本体部は，バネ性を有する接点素子を有するパネル部と，両側に立ち上がり部を有し，前記立ち上がり部の前部に切り欠き部を有し，前記立ち上がり部の後部に略Ｌ字状の透視穴部を有し，前記トレイは，両側にそれぞれカードの端部が挿入される断面コ字状のカード保持部と，前記トレイが閉じられる時に，前記立ち上がり部の切り欠き部に係合する前部のタブと，前記透視穴部に回動可能に係合される後部のタブを有し，更に前記本体部に有するパネル部は，前記立ち上がり部に隣接して沿う溝部を有し，前記溝部の辺の少なくとも一部に段部を有し，前記トレイが閉じられる時に，前記溝部の辺に前記カード保持部の断面コ字状の端辺が対応し，前記溝部の段部により前記カード保持部の断面コ字状の端辺が外方向に押し圧力を受ける。【選択図】図７
2006210127.tif 000002
【特許請求の範囲】
【請求項１】
本体部と，
薄板で形成されるトレイを有し，
前記本体部は，バネ性を有する接点素子を有するパネル部と，両側に立ち上がり部を有し，
前記立ち上がり部の前部に切り欠き部を有し，
前記立ち上がり部の後部に略Ｌ字状の透視穴部を有し，
前記トレイは，両側にそれぞれカードの端部が挿入される断面コ字状のカード保持部と，前記トレイが閉じられる時に，前記立ち上がり部の切り欠き部に係合する前部のタブと，前記透視穴部に回動可能に係合される後部のタブを有し，更に
前記本体部に有するパネル部は，前記立ち上がり部に隣接して沿う溝部を有し，前記溝部の辺の少なくとも一部に段部を有し，
前記トレイが閉じられる時に，前記溝部の辺に前記カード保持部の断面コ字状の端辺が対応し，前記溝部の段部により前記カード保持部の断面コ字状の端辺が外方向に押し圧力を受ける
ように構成されたことを特徴とするカードコネクタ。
【請求項２】
請求項１において，
前記トレイを形成する薄板は，金属板もしくはモールド樹脂で成形され，前記前部のタブと後部のタブは，前記トレイの一部として前記薄板の厚みを有することを特徴とするカードコネクタ。
【請求項３】
請求項１において，
前記カード保持部の断面コ字状の端辺は，前記溝部の辺に有する少なくとも一部の段部に対応する位置に，段部を有することを特徴とするカードコネクタ。
【発明の詳細な説明】
【技術分野】
【０００１】
本発明は, カードコネクタに関する。特に加入者認証モジュール（ＳＩＭ：Subscriber Identity module）の接続用に適したコネクタに関する。
【背景技術】
【０００２】
携帯電話端末の製造販売者と通信事業者が異なる場合，通信事業者の加入者であることを認証するために，カード型の加入者認証モジュール（以下ＳＩＭカードと表記する）が用いられる。
【０００３】
たとえば，特許文献１に記載のように携帯電話端末本体裏面にコネクタが設けられている。このコネクタは，ＳＩＭカードの電極と接触する接点素子を有し，コネクタにＳＩＭカードが挿入された時にＳＩＭカードの電極と接触し，ＳＩＭカードに記憶された加入者認証コードを読み出すことができる。
【０００４】
さらに，ＳＩＭカードがコネクタに挿入された状態で，電池を兼用する裏蓋が閉じられる構成が一般的である。かかる状態で用いられる場合，携帯電話端末機器の小型薄型の要求から前記カードコネクタも必然的に薄型化が要求される。また，カードコネクタに挿入されるカードの寸法公差が±０．１ｍｍ程度ある。このために、コネクタに挿入された状態で、ＳＩＭカードのコネクタ内でのガタツキが生じる恐れがある。
【０００５】
かかるＳＩＭカードのガタツキは、接触不良により電源供給の瞬断が生じ、電圧降下となり、システム上通話品質に対し，大きく影響を与える。
【０００６】
ＳＩＭカード用コネクタの具体的な一構成例として特許文献２に記載の発明が知られている。図１は，特許文献２に記載されるＳＩＭカード用コネクタの斜視図である。ＳＩＭカード用コネクタは，ＳＩＭカードを両側部で保持するカバー（１７）と，パネル部（１８）に配置されたバネ性を有する接点素子（３５）を備える接触支持部（１４）で構成されている。
【０００７】
カバー（１７）は，一端側にアーム（５５）を有し，その先端のヒンジ部（５６）は，接触支持部（１４）の支持ブロック（２４）の開口（２６）と係合する。さらに，他端側にロッキングタブ（４８）を有している。
【０００８】
接触支持部（１４）は，前記支持ブロック（２４）と反対側にスロット（３０）を有している。
【０００９】
ＳＩＭカード（１）を保持し，カバー（１７）が閉じられる時は，カバー（１７）を接点素子（３５）のバネ性に抗してヒンジ部（５６）の回動軸（６０）で回転して，前記接触支持部（１４）側に倒す。ついで，カバー（１７）をスロット（３０）側にスライドさせて，カバー先端部のロッキングタブ（４８）を接触支持部（１４）のスロット（３０）に挿入する。
【００１０】
かかる構成によって，ＳＩＭカードの接点と接点素子（３５）とが接触した状態でＳＩＭカードを保持することができる。
【特許文献１】特開２００４−２２８６９４号公報
【特許文献２】特開２０００−２６０５３７号公報
【発明の開示】
【発明が解決しようとする課題】
【００１１】
ここで，上記特許文献２に記載の発明では，カード（１）が挿入されたカバー（１７）を閉じる際は，カバー先端部のロッキングタブ（４８）を接触支持部（１４）のスロット（３０）に挿入した状態で接点素子（３５）のバネ性によりカバーの移動に抵抗を与える。
【００１２】
図２は，特許文献２に記載された図１を参照して，ＳＩＭカード（１）が挿入されたカバー（１７）が閉じられた状態の想定される断面形状を示す図である。
カバー（１７）は，ＳＩＭカード（１）とともに接点素子（３５）のバネ力により矢印方向に押し圧力を受ける。したがって，カードコネクタのカバー（１７）がアルミ等の薄板金属板あるいは，モールド樹脂性である場合，接点素子（３５）のバネ力による押し圧力により上方向に湾曲するおそれがある。
【００１３】
かかるカバ―（１７）が湾曲する場合は，カバー（１７）の接触支持部（１４）との係合の信頼性が低下し，これが更にＳＩＭカード（１）の電極と接点素子（３５）の電気的接続に対する信頼性を損ない，信号断，電圧降下等によりシステムに影響を与えることになる。
【００１４】
一方，カバー（１７）の湾曲を防止するために厚板を使用する場合は，カードコネクタの低背化を得られないことになる。
【００１５】
したがって，本発明の目的は，かかる不都合を解消し，低背化を維持するとともに挿入されるカードの電極と接点素子との電気的接触における信頼性を確保できるカードコネクタを提供することにある。
【課題を解決するための手段】
【００１６】
上記の本発明の目的を達成する本発明に従うカードコネクタは，その第１の態様として，本体部と，薄板で形成されるトレイを有し，前記本体部は，バネ性を有する接点素子を有するパネル部と，両側に立ち上がり部を有し，前記立ち上がり部の前部に切り欠き部を有し，前記立ち上がり部の後部に略Ｌ字状の透視穴部を有し，前記トレイは，両側にそれぞれカードの端部が挿入される断面コ字状のカード保持部と，前記トレイが閉じられる時に，前記立ち上がり部の切り欠き部に係合する前部のタブと，前記透視穴部に回動可能に係合される後部のタブを有し，更に前記本体部に有するパネル部は，前記立ち上がり部に隣接して沿う溝部を有し，前記溝部の辺の少なくとも一部に段部を有し，前記トレイが閉じられる時に，前記溝部の辺に前記カード保持部の断面コ字状の端辺が対応し，前記溝部の段部により前記カード保持部の断面コ字状の端辺が外方向に押し圧力を受けるように構成されたことを特徴とする。
【００１７】
上記の本発明の目的を達成する本発明に従うカードコネクタは，その第２の態様として，第１の態様において，前記トレイを形成する薄板は，金属板もしくはモールド樹脂で成形され，前記前部のタブと後部のタブは，前記トレイの一部として前記薄板の厚みを有することを特徴とする。
【００１８】
上記の本発明の目的を達成する本発明に従うカードコネクタは，その第３の態様として，第１の態様において，前記カード保持部の断面コ字状の端辺は，前記溝部の辺に有する少なくとも一部の段部に対応する位置に，段部を有することを特徴とする。
【００１９】
本発明の特徴は，以下に図面に従って説明される実施の形態例から更に明らかになる。
【発明の効果】
【００２０】
本発明に従うカードコネクタは，低背化のためにカバー（トレイ）を薄板で形成し，且つ挿入されるカードの電極と接点素子との電気的接触における信頼性を確保できるものである。
【発明を実施するための最良の形態】
【００２１】
以下に図面に従い本発明の実施の形態例を説明する。なお，実施の形態例は本発明の説明のためのものであり，本発明の技術的範囲がこれに限定されるものではない。また，以下の説明において，図面の参照番号は，図１に用いるものと異なるものとする。
【００２２】
図３は，本発明に従うカードコネクタの一構成例斜視図である。本体部１と，ＳＩＭカード等のメモリ及び機能部を有するカードの挿入されるトレイ（カバー）２とで構成される。
【００２３】
本体部１は，樹脂モールドにより成形される。その際，本体部１は，パネル部にバネ性を有する複数の接点素子１１を有するように一体に成形される。複数の接点素子１１に繋がる対応する複数のリード１１が本体部外に引き出されていて，カードコネクタが機器に搭載されるときに，機器側の回路基板に電気的に接続される接続端子となる。
【００２４】
本体部１の両側に立ち上がり部１２を有し，立ち上がり部１２の前方部に切り欠き部１３とそれに続く引掛部１４を有している。さらに，両側の立ち上がり部１２の後部に略Ｌ字型の透視穴部１６を有している。略Ｌ字型の透視穴部１６は，立ち上がり部１２の長手方向に沿う水平部と垂直部を有する。
【００２５】
この立ち上がり部１２は，好ましくは外側と引掛部１４及び前記透視穴部１６が，金属カバー１５で補強されている。
【００２６】
一方，トレイ２は，実施例としてステンレス性の，あるいはモールド樹脂で成型される薄板により形成される。図４は，内側から見たトレイ２の形状を示す図である。図４からも理解できるように，トレイ２の両側には断面コ字状のカード保持部１７を有している。さらに，両側のカード保持部１７の前部と後部に外側に向いた同じ薄板のタブ１８，１９を有している。後部のタブ１９が，本体部１の両側の立ち上がり部１２に形成される略Ｌ字型の透視穴部１６に挿入されて，本体部１とトレイ２が結合される。したがって，トレイ２は，透視穴部１６の水平部と垂直部の交差する角部近傍で後部のタブ１９を軸として回動可能である。
【００２７】
断面コ字状のカード保持部１７の端辺に断部１７ａ，１７ｂ有し，端辺の他の部分より断面コ字状の幅が大きくなっている。かかる特徴部分を設ける理由は，後に説明する。
【００２８】
図５は，トレイ２の断面コ字状のカード保持部１７の詳細を説明する図である。図５ａは，トレイ２の裏面を示す図であり点線丸で囲った部分の拡大図が図５ｂに示される。
【００２９】
トレイ２の断面コ字状のカード保持部１７の端辺の少なくとも一部，図５に示す例では，中央部と後部にそれぞれ段部１７ａ，１７ｂを有している。段部１７ａ，１７ｂの段差の大きさをＴで示している。
【００３０】
一方，本体部１の構造が図６に示される。図６ａに本体部１の斜視図が示され，波線丸で囲った部分の拡大図が図６ｂに示される。すなわち，本体部１のパネル部１０は，立ち上がり部１２に隣接して沿う溝部１２ａを有している。
【００３１】
トレイ２が閉じられた時に，トレイ２のカード保持部１７が溝部１２ａに挿入される。
【００３２】
さらに，パネル部１０の溝部１２ａの辺の少なくとも一部に段部，図６の例では段部１０ａ，１０ｂを有している。段部１０ａ，１０ｂは，トレイ２が閉じられた時にトレイ２のカード保持部１７の端辺の段部１７ａ，１７ｂと対応する位置にある。
【００３３】
図７は，パネル部１０の溝部１２ａの辺の段部１０ａ，１０ｂと，トレイ２のカード保持部１７の端辺の段部１７ａ，１７ｂとの対応による作用を説明する図である。
【００３４】
図７において，トレイ２のカード保持部１７の端辺の位置iは，段部１０ａ，１０ｂ及び段部１７ａ，１７ｂのいずれも形成しない場合である。すなわち，断面コ字状のカード保持部１７の幅は，溝部１２ａの幅より小さく，カード保持部１７に対する圧力は生じない。
【００３５】
一方，図７において，トレイ２のカード保持部１７の端辺の位置iiは，段部１０ａ，１０ｂ又は，段部１７ａ，１７ｂの一方あるいはそれらの両方が形成されている場合である。
【００３６】
すなわち，トレイ２のカード保持部１７の端辺は，段部との突き合わせにより外向きの押し圧が付与される。これによりトレイ２は，図７に示す波線IIで示すように下向きに変形する傾向となる。
【００３７】
したがって，先に図２により説明したように接点素子３５のバネ力により上向きに押し圧が与えられるので，実線Iのような上向きの変形と打ち消しあう。これにより実線IIIに示すようにトレイ２が湾曲状に変形するのを回避することができる。
【００３８】
上記のように，本発明により低背化のためにトレイ２を薄板状にする場合であっても，トレイ２の変形を無くし，従って，カードの電極と接点素子との電気的接触における信頼性を確保できる。
【００３９】
なお，上記説明で，カード保持部１７に挿入されるカードとして，ＳＩＭカードを例にしたが，本発明の構成の適用範囲は，かかるＳＩＭカードに限定されるものではない。目的に対応したＲＡＭメモリカード，ＣＰＵの搭載された機能カード等にも適用が可能である。
【図面の簡単な説明】
【００４０】
【図１】特許文献２に記載されるＳＩＭカード用コネクタの斜視図である。
【図２】特許文献２に記載された図１を参照して，ＳＩＭカード（１）が挿入されたカバー（１７）が閉じられた状態の想定される断面形状を示す図である。
【図３】本発明に従うカードコネクタの一構成例斜視図である。
【図４】内側から見たトレイ２の形状を示す図である。
【図５】トレイ２の断面コ字状のカード保持部１７の詳細を説明する図である。
【図６】本体部の構造を示す図である。
【図７】パネル部の溝部の辺に有する段部と，トレイのカード保持部の端辺に有する段部との対応による作用を説明する図である。
【符号の説明】
【００４１】
１  本体部
２  トレイ
１０  パネル部
１１  接点素子
１２  立ち上がり部
１２ａ  溝部
１３  切り欠き部
１４  引掛部
１５  金属カバー
１６  透視穴部
１７  カード保持部
１８  前部のタブ
１９  後部のタブ
１０ａ，１０ｂ，１７ａ，１７ｂ
【図１】
2006210127.tif 000003
【図２】
2006210127.tif 000004
【図３】
2006210127.tif 000005
【図４】
2006210127.tif 000006
【図５】
2006210127.tif 000007
【図６】
2006210127.tif 000008
【図７】
2006210127.tif 000009